(57)【要約】【課題】身の回り品として携帯性を付与した携帯額縁を提供する。【解決手段】開口部４を有する枠部５と、枠部５の背面を被覆する背面部６と、枠部５と背面部６との間に形成された空間部７と、空間部７と連通する挿通口８とからなり、掲飾品１０を挿通口８から空間部７に収納して開口部４から目視可能に掲示する額縁本体２を、取付具３を介して携行具２０に脱着自在に装着することにより、携行具２０とともに携行可能とした携帯額縁１を提供する。【選択図】図８
2015036018.tif 000002
【特許請求の範囲】
【請求項１】
開口部を有する枠部と、枠部の背面を被覆する背面部と、枠部と背面部との間に形成された空間部と、空間部と連通する挿通口とからなり、掲飾品を挿通口から空間部に収納して開口部から目視可能に掲示する額縁本体を、取付具を介して携行具に脱着自在に装着することにより、携行具とともに携行可能としたことを特徴とする携帯額縁。
【請求項２】
開口部を被覆する透明の保護プレートを有する請求項１記載の携帯額縁。
【請求項３】
額縁本体と取付具を可撓性を有する素材から形成した請求項１又は２記載の携帯額縁。
【請求項４】
取付具が、背面部から外方に延長された１又は複数の屈曲可能な装着アームと、装着アームを携行具に固定する固定具とからなる請求項１，２又は３記載の携帯額縁。
【請求項５】
装着アームを背面部から上方に延長し、装着アームの先端を携行具の内部に進入させ、装着アームの先端に装備した固定具を、携行具の内部に装備した固定具に係合させることによって、額縁本体を携行具に固定する請求項４記載の携帯額縁。
【請求項６】
装着アームが背面部から放射状に延長し、装着アームを携行具の外周部に巻回させ、装着アームの先端に装備した固定具を、携行具の外周に装備した固定具に係合させることによって、額縁本体を携行具に固定する請求項４記載の携帯額縁。
【請求項７】
携行具への非装着時において、装着アームを携行具に固定することなく、開口部方向から目視不能に背面部に固定可能とした請求項４，５又は６記載の携帯額縁。
【請求項８】
携行具が、鞄，袋物，財布，ザック，名刺入れ又はウエストポーチからなる請求項１，２，３，４，５，６又は７記載の携帯額縁。
【請求項９】
掲飾品が押花，刺繍，絵画，写真，書，メッセージ，版画，賞状，証明書，各種免許，記念の品や版画又はこれらを表示した電子機器からなる請求項１，２，３，４，５，６，７又は８記載の携帯額縁。
【発明の詳細な説明】
【技術分野】
【０００１】
本発明は、身の回り品として、常に携帯可能な携帯額縁に関する。
【背景技術】
【０００２】
日々の暮らしを精神面から豊かにし、楽しみや潤いを与える手段の一つとして、又インテリアや自己表現の手段として、絵画，写真，書等の好きな作家の作品や家族或いは自己の作品を飾ったり、賞状，証明書，各種免許や家族の記念の品，旅行の思い出の品等（以下、掲飾品）を飾ることが広く行われている。これらの掲飾品を飾る雰囲気を醸し出す最適のパートナーとして、額縁が存在する。同じ作品であっても、作品を飾る場所や目的に応じた額縁を選択することによって、その雰囲気を大いに高めることが可能である。
【０００３】
額縁には、用途（油彩額，仮縁，デッサン額，和額，賞状額，写真額，ポスター額，インテリア額等），素材（木製額，金属製額，樹脂製額，ガラス製額，紙製額，自然素材額等）によって、又製法によっても伝統的な額縁から現代的な額縁，更には近未来的な額縁まで種々の物が豊富に提供されている。
【０００４】
一方、近時は鞄に額縁状ポケットを形成し、額縁状ポケットに絵や写真やＣＭやメッセージ等の挿入シートを入れ替えることができる額縁鞄も提供されている（特許文献１）。更に、ユーザが自分好みの刺繍を施してオリジナルのバッグとすることができるように、バッグ本体と、ユーザが刺繍を施すことが可能な生地で構成されて、前記バッグ本体の外周面を巻いた状態でバッグ本体に着脱可能に装着される刺繍用シートを備えているバッグも提供されている（特許文献２）。
【先行技術文献】
【特許文献】
【０００５】
【特許文献１】実用新案登録第３１２０５５１号公報
【特許文献２】実用新案登録第３１６３１２１号公報
【発明の概要】
【発明が解決しようとする課題】
【０００６】
従前の額縁は、重厚で大型の額縁から、ピンナップボードのような簡易で小型の額縁まで、いずれも屋内の所定の場所、その多くは壁面に係止具を用いて固定するとの観念に支配されていた。そのため、一旦係止した額縁の固定場所を変更することは殆ど行われていない。
【０００７】
写真立てのような脚によって自立するタイプの額縁は室内での移動は容易であるが、実際には一旦設置した写真立てを日常的に移動させることは行われておらず、そのまま同じ場所に飾られていることが多い。まして、いずれの額縁も室外に持ち出して、常時身近において楽しむとの発想は全く存在しなかった。
【０００８】
特許文献１に示す額縁鞄は、鞄に形成した額縁状ポケットを利用して、鞄とともに挿入した絵画や写真を携行して楽しむことは可能である。しかしながら、額縁状ポケットは特定の鞄に固定されており、額縁状ポケットそのものを単独で携行することができず、また、額縁状ポケットそのものを単独で利用することはできない。
【０００９】
また、特許文献２に示すバッグは特定の刺繍用シートを装着するバッグであり、種々の絵画や写真等を汎用的に差し替えて飾ることができるものではなく、又刺繍用シートそのものを単独で利用することはできない。
【００１０】
そのため、本発明は屋内の所定の場所に固定、或いは屋内における掲飾位置の変更に留まっていた額縁を、日常的に使用する携行具に脱着自在に装着可能とすることによって、額縁を常に携帯可能として屋外に持ち出し可能とし、しかも、携行時においても額縁に収納した掲飾品を表掲可能とする携帯額縁を提供することを目的とする。
【課題を解決するための手段】
【００１１】
本発明は上記目的を達成するために、開口部を有する枠部と、枠部の背面を被覆する背面部と、枠部と背面部との間に形成された空間部と、空間部と連通する挿通口とからなり、掲飾品を挿通口から空間部に収納して開口部から目視可能に掲示する額縁本体を、取付具を介して携行具に脱着自在に装着することにより、携行具とともに携行可能とした携帯額縁を基本として提供する。そして、開口部を被覆する透明の保護プレートを有する構成、額縁本体と取付具を可撓性を有する素材から形成した構成を提供する。
【００１２】
また、取付具が、背面部から外方に延長された１又は複数の屈曲可能な装着アームと、装着アームを携行具に固定する固定具とからなる構成、装着アームを背面部から上方に延長し、装着アームの先端を携行具の内部に進入させ、装着アームの先端に装備した固定具を、携行具の内部に装備した固定具に係合させることによって、額縁本体を携行具に固定する構成、装着アームが背面部から放射状に延長し、装着アームを携行具の外周部に巻回させ、装着アームの先端に装備した固定具を、携行具の外周に装備した固定具に係合させることによって、額縁本体を携行具に固定する構成を提供する。
【００１３】
更に、携行具への非装着時において、装着アームを携行具に固定することなく、開口部方向から目視不能に背面部に固定可能とした構成、携行具が、鞄，袋物，財布，ザック，名刺入れ又はウエストポーチからなる構成、及び掲飾品が押花，刺繍，絵画，写真，書，メッセージ，版画，賞状，証明書，各種免許，記念の品や版画又はこれらを表示した電子機器からなる構成を提供する。
【発明の効果】
【００１４】
以上記載した本発明によれば、従来屋内の所定の場所に固定、或いは屋内における掲飾位置の変更に留まっていた額縁を日常的に使用する携行具とともに、常に携帯可能な携帯額縁とすることによって、身の回り品として屋外に持ち出すことができる。しかも、携行時において、携帯額縁を掲飾することができ、携帯額縁に収納した掲飾品を常に身近に掲飾して楽しむことができる。同時に携帯額縁に収納した各種の掲飾品は、特定或いは不特定の人に鑑賞されるため、掲飾品の評価を受ける機会ともなり、ひいては、芸術・文化に親しむ機会やその向上に資する機会ともなる。
【００１５】
しかも、携帯額縁を携行具へ脱着自在に装着可能としたため、携帯額縁を装着する携行具を任意に選択・変更することができる。また、装着アームからなる取付具を使用して、携帯額縁を確実に携行具に装着するため、携帯額縁を掲飾した場合であっても防犯上の心配が少ない。更に、携帯額縁を携行時において、携行具に収納可能としたことによって、携行時における携帯額縁の掲飾，非掲飾を任意に選択することができる。携帯額縁は装着アームを介して携行具に装着するため、安全・確実に装着することができ、高い防犯性を有する。
【図面の簡単な説明】
【００１６】
【図１】本発明にかかる携帯額縁の第１実施例の正面方向からの全体斜視図。
【図２】第１実施例の背面方向からの全体斜視図。
【図３】第１実施例の正面図。
【図４】第１実施例の背面図。
【図５】図３のＡ−Ａ断面図。
【図６】図３のＢ−Ｂ断面図。
【図７】鞄への携帯額縁の装着状態を示す説明図。
【図８】携帯額縁を鞄に装着した状態を示す斜視図。
【図９】携帯額縁を装着した鞄の平面方向からの斜視図。
【図１０】携帯額縁の正面図。
【図１１】携帯額縁の第２実施例を示す正面図。
【図１２】第２実施例の装着状態を示す斜視図。
【発明を実施するための形態】
【００１７】
以下本発明にかかる携帯額縁の実施形態を説明する。図１は本発明にかかる携帯額縁１の第１実施例の正面方向からの全体斜視図、図２は背面方向からの全体斜視図である。図において、５は矩形状の枠部であって、矩形状の開口部４の周囲を囲繞している。枠部５には携帯額縁１の用途に応じて適宜の意匠を施すことが適当である。また、枠部５は図示例の矩形状に限らず、円形，楕円形，多角形等任意の形状でよく、同様に開口部４としても任意の型枠形状に形成することができる。
【００１８】
枠部５の背面は、背面部６で被覆されており、枠部５と背面部６との間には、空間部７（図５，図６参照）が形成されている。枠部５と背面部６との外周縁部は、一方向の外周縁部を除いて適宜の手段によって接合されている。枠部５と背面部６の一方向、図示例では上方の外周縁部は接合されておらず、空間部７と連通する挿通口８が開口形成されている。そして、開口部４の全面を被覆するように透明の保護プレート９が枠部５に接合されている。
【００１９】
図示例では、１枚のシート状素材を均等に３分割し、連続する２面の対称位置に開口部４となる孔を同一形状となるように空け、該孔を重なるように曲折して枠部５を形成し、残る一面を重ね合わせて背面部６とした。更に、開口部４を被覆するように保護プレート９を枠部に介挿して、両端部をヒートシール等の適宜の手段で接合して形成した。枠部５と背面部６の素材としては、一例として可撓性を有する樹脂製の素材を使用することができ、その際には枠部５と背面部６の接合手段はヒートシール，ホットメルト等の手段が使用可能である。
【００２０】
よって、枠部５と背面部６は挿通口８が開口した中空袋状の形態をしており、掲飾品１０を挿通口８から挿通して空間部７に収納し、保護プレート９を介して開口部４から目視可能に掲飾することができる。
【００２１】
図示例においては、掲飾品１０として押花シートを収納した。なお、掲飾品１０としては、押花に限らず、刺繍，絵画，写真，書，メッセージ，版画，賞状，証明書，各種免許，記念の品や版画等から選択すればよく、空間部７に挿通・収納可能であれば、特に限定はない。また、平面物が適当であるが、立体物であってもよい。更に、前記した刺繍，絵画，写真，書，メッセージ，版画，賞状，証明書，各種免許，記念の品や版画その他を画像或いはデータとして表示したタブレット型端末，携帯電話その他の電子機器であってもよい。
【００２２】
これらの枠部５，背面部６，空間部７，挿通口８，保護プレート９から額縁本体２が構成されている。なお、保護プレート９は、掲飾品１０の内容によっては省略することもできる。１１ａ，１１ｂ，１１ｃはベルト状の装着アームであって、空間部７内の背面部６に固定され、更に背面部６から上方に延長されている。装着アーム１１ａ，１１ｂ，１１ｃの長さ寸法やその数、更には延長する方向に特に限定はなく、装着する携行具のサイズや装着場所に応じて適宜選択すればよい。また、装着アーム１１ａ，１１ｂ，１１ｃのデザインや意匠を工夫することによって、装着アーム１１ａ，１１ｂ，１１ｃに額縁本体２を装飾する機能を持たせてもよい。
【００２３】
１２ａは雄型又は牝型のスナップであり、装着アーム１１ａ，１１ｂ，１１ｃの先端部の背面に向けて装着した固定具である。１３ａは面ファスナーであり、スナップ１２ａの近傍に装着した固定具である。１３ｂは面ファスナーであり、装着アーム１１ａ，１１ｂ，１１ｃを背面部６方向に折り畳んだ場合に面ファスナー１３ａと係合可能となるように背面部６に装着してある。１４ａは雄型又は牝型のスナップであり、背面部６の下端部に装着した固定具である。これらの装着アーム１１ａ，１１ｂ，１１ｃ，スナップ１２ａ，１４ａ，面ファスナー１３ａ，１３ｂから取付具３が構成されている。
【００２４】
図７，図８，図９において、１５は鞄であり、携行具２０の一例である。図示例では、上部が開口した直方体状の鞄本体１５ａと鞄本体１５ａの開口部近傍に固定した持ち手１５ｂから構成されているトートバッグを使用した。この鞄１５はキャンバス生地や合成繊維，皮革等の可撓性を有する素材から構成されている。なお、額縁本体２を装着する携行具２０は鞄１５に限ることなく、各種の袋物，財布，ザック，名刺入れ又はウエストポーチから選択することができる。
【００２５】
図７，図８に示すように、鞄１５において、１２ｂは雄型又は牝型のスナップであり、鞄本体１５ａの開口部近傍に内側に向けて装着した固定具であり、前記した装着アーム１１ａ，１１ｂ，１１ｃに固定したスナップ１２ａと係合する。また、１４ｂも雄型又は牝型のスナップであり、鞄本体１５ａの下端部に外側に向けて装着した固定具であり、前記した額縁本体２の背面部６の下端部に装着したスナップ１４ａと係合する。
【００２６】
携帯額縁１を携帯具２０に装着するには、額縁本体２の背面部６の下端部に装着したスナップ１４ａを、鞄本体１５ａの下端部に装着したスナップ１４ｂと係合させる。ついで、装着アーム１１ａ，１１ｂ，１１ｃを鞄本体１５ａの開口縁部を跨いで内部に侵入させ、装着アーム１１ａ，１１ｂ，１１ｃの先端部に装着したスナップ１２ａを、鞄本体１５ａの開口部近傍に内側に向けて装着したスナップ１２ｂと係合させる。
【００２７】
これにより、携帯額縁１は図９に示すように、開口部４を外側に位置するように鞄１５の外面に装着され、鞄１５とともに携行することができる。よって、携行時には空間部７に収納した掲飾品１０を開口部４から保護プレート９を介して目視することができ、掲飾品１０を広く掲飾することができる。そして、携帯額縁１は必要に応じて鞄１５から取り外すことが可能である。
【００２８】
携帯額縁１を単独で使用する場合は、装着アーム１１ａ，１１ｂ，１１ｃを背面部６方向に折り曲げ、装着アーム１１ａ，１１ｂ，１１ｃに固定した面ファスナー１３ａを背面部６に装着した面ファスナー１３ｂと係合させることによって、図１０に示すように装着アーム１１ａ，１１ｂ，１１ｃを揺動不能に額縁本体２と一体化させる。この状態で、スタンドを使用して起立させたり、壁面に固定することによって、額縁単体として利用することができる。また、この状態で鞄１５に収納して携行することも可能である。
【００２９】
次に本発明にかかる携帯額縁１の第２実施例を図１１，図１２に基づいて説明する。第２実施例にかかる携帯額縁２１は、４本の装着アーム２２ａ，２２ｂ，２２ｃ，２２ｄを矩形状の額縁本体２の各辺から相互に９０度変位して放射状に延長している。額縁本体２への装着に際しては、図１２に示すように装着アーム２２ｂ，２２ｃ，２２ｄを鞄本体を抱持するように巻回させて、それぞれ面ファスナー（図示略）を使用して、鞄本体１５ａに装着する。そして、装着アーム２２ａを持ち手１５ｂを一周するように巻回させ、装着アーム２２ａの表面に装備した面ファスナー２３に装着アーム２２ａの背面に装備した面ファスナー（図示略）を係止させて装着する。なお、装着アーム２２ａ，２２ｂ，２２ｃ，２２ｄは不使用時には、額縁本体２の背面部６に面ファスナー等の適宜の固定具を使用して固定することができる。なお、図１２において、装着アーム２２ａ，２２ｂ，２２ｃ，２２ｄに加えて、他の装着アーム（図示略）によって、鞄１５の開口部を跨座するように配置して、開口部を挟持するようにしてもよい。
【産業上の利用可能性】
【００３０】
以上記載した本発明によれば、従来屋内の所定の場所に固定、或いは屋内における掲飾位置の変更に留まっていた額縁を日常的に使用する携行具とともに、常に携帯可能な携帯額縁とすることによって、身の回り品として屋外に持ち出すことができる。しかも、携行時において、携帯額縁を掲飾することができ、携帯額縁に収納した掲飾品を常に身近に掲飾して楽しむことができる。同時に携帯額縁に収納した各種の掲飾品は、特定或いは不特定の人に鑑賞されるため、掲飾品の評価を受ける機会ともなり、ひいては、芸術・文化に親しむ機会やその向上に資する機会ともなる。
【００３１】
しかも、携帯額縁を携行具へ脱着自在に装着可能としたため、携帯額縁を装着する携行具を任意に選択・変更することができる。また、装着アームからなる取付具を使用して、携帯額縁を確実に携行具に装着するため、携帯額縁を掲飾した場合であっても防犯上の心配が少ない。更に、携帯額縁を携行時において、携行具に収納可能としたことによって、携行時における携帯額縁の掲飾，非掲飾を任意に選択することができる。携帯額縁は装着アームを介して携行具に装着するため、安全・確実に装着することができ、高い防犯性を有する。
【符号の説明】
【００３２】
１…携帯額縁
２…額縁本体
３…取付具
４…開口部
５…枠部
６…背面部
７…空間部
８…挿通口
９…保護プレート
１０…掲飾品
１１ａ，１１ｂ，１１ｃ，２２ａ，２２ｂ，２２ｃ，２２ｄ…装着アーム
１２ａ，１２ｂ…スナップ
１３ａ，１３ｂ…面ファスナー
１５…鞄
２０…携行具
【図１】
2015036018.tif 000003
【図２】
2015036018.tif 000004
【図３】
2015036018.tif 000005
【図４】
2015036018.tif 000006
【図５】
2015036018.tif 000007
【図６】
2015036018.tif 000008
【図７】
2015036018.tif 000009
【図８】
2015036018.tif 000010
【図９】
2015036018.tif 000011
【図１０】
2015036018.tif 000012
【図１１】
2015036018.tif 000013
【図１２】
2015036018.tif 000014